(57)【要約】本発明は、套管針ユニットが第１トロカール胴体及び第２トロカール胴体を有するトロカール胴体ユニットに挿入及び引き出される過程で前記第２トロカール胴体が第１トロカール胴体に対して上下方向に相対的に移動できるように前記第１トロカール胴体と第２トロカール胴体とを連結し、外力が作用しない場合は前記第１トロカール胴体の半径方向に広げられた状態を維持し、前記套管針ユニットが前記トロカール胴体ユニットに挿入され、前記第２トロカール胴体が前記第１トロカール胴体に対して相対的に移動する過程では前記第１トロカール胴体の長さ方向に伸びる拡張部材を有する連結ユニットを含むことを特徴とする外科用トロカールを提供する。【選択図】図１
2018537181.tif 000002
【特許請求の範囲】
【請求項１】
人の皮膚組織を貫通して設置可能なトロカール胴体ユニット；及び
前記トロカール胴体ユニットに挿入されてから引き出される套管針ユニット；を含み、
前記トロカール胴体ユニットは；
中空形態の第１トロカール胴体と、
前記第１トロカール胴体の上部に配置されるトロカール胴体ヘッドと、
前記第１トロカール胴体の下部方向に一定間隔だけ離隔した位置に配置される第２トロカール胴体と、
前記套管針ユニットが前記トロカール胴体ユニットに挿入及び引き出される過程で前記第２トロカール胴体が前記第１トロカール胴体に対して上下方向に相対的に移動できるように前記第１トロカール胴体と第２トロカール胴体とを連結し、外力が作用しない場合は前記第１トロカール胴体の半径方向に広げられた状態を維持し、前記套管針ユニットが前記トロカール胴体ユニットに挿入され、前記第２トロカール胴体が前記第１トロカール胴体に対して相対的に移動する過程では前記第１トロカール胴体の長さ方向に伸びる拡張部材を有する連結ユニットと、を含むことを特徴とする外科用トロカール。
【請求項２】
前記連結ユニットは、前記拡張部材の内側に隣り合うように配置されながら前記第１トロカール胴体と前記第２トロカール胴体とを連結し、前記套管針ユニットが前記トロカール胴体ユニットに挿入及び引き出される過程で前記第２トロカール胴体が前記第１トロカール胴体に対して上下方向に相対的に移動できるようにフレキシブルな材質の内部連結部材をさらに含むことを特徴とする、請求項１に記載の外科用トロカール。
【請求項３】
前記套管針ユニットは、套管針胴体と、前記套管針胴体の上部方向に延長される套管針上部ヘッドと、前記套管針胴体の下部方向に延長される套管針下部ヘッドと、を含み、
前記套管針下部ヘッドにはヘッド段差部が形成されており、前記第２トロカール胴体の下部領域には、前記ヘッド段差部と係止・結合されるヘッド係止部が形成されていることを特徴とする、請求項１に記載の外科用トロカール。
【請求項４】
前記拡張部材が前記第１トロカール胴体の長さ方向に伸びた状態で前記套管針ユニットと前記トロカール胴体ユニットの下部領域が人の体内に挿入され、前記套管針ユニットと前記トロカール胴体ユニットの下部領域が人の体内に挿入された状態で前記套管針ユニットが除去されると、前記拡張部材は、前記第１トロカール胴体の半径方向に広げられながら外力が加えられる前の形状に戻る形状記憶合成樹脂材質であることを特徴とする、請求項１から３のいずれか一項に記載の外科用トロカール。
【請求項５】
前記套管針ユニットが前記トロカール胴体ユニットに挿入されたときは、前記套管針ユニットを前記トロカール胴体ユニットに結合させ、前記套管針ユニットが前記トロカール胴体ユニットから引き出されるときは、前記套管針ユニットを前記トロカール胴体ユニットから解除するためのロッキングユニットをさらに含むことを特徴とする、請求項１から３のいずれか一項に記載の外科用トロカール。
【請求項６】
前記ロッキングユニットは、前記套管針ユニットに備えられた套管針上部ヘッドの外側面に突出した結合突起と、前記トロカール胴体ユニットに備えられたトロカール胴体ヘッドに形成された突起結合部と、を含むことを特徴とする、請求項５に記載の外科用トロカール。
【請求項７】
前記トロカール胴体ヘッドは、前記第１トロカール胴体から延長形成される胴体ヘッド外部ハウジングと、前記胴体ヘッド外部ハウジングの内側面に結合される胴体ヘッド内部ハウジングと、を含み、前記突起結合部は前記胴体ヘッド内部ハウジングの内側面に形成されることを特徴とする、請求項６に記載の外科用トロカール。
【請求項８】
前記突起結合部は、前記結合突起の上下方向移動を案内するために前記胴体ヘッド内部ハウジングの内側面に陥没して形成された案内溝と、前記案内溝から延長形成され、前記胴体ヘッド内部ハウジングの 円周方向に折り曲げられ、前記套管針ユニットの回転時に前記結合突起の移動を案内する係止溝と、を含むことを特徴とする、請求項７に記載の外科用トロカール。
【請求項９】
前記トロカール胴体ヘッドの入口部に設置され、前記套管針ユニットが前記トロカール胴体ユニットに挿入されるときは開放され、前記トロカール胴体ユニットから前記套管針ユニットが引き出されるときは前記トロカール胴体ヘッドの入口部を閉鎖させる密閉部材をさらに含むことを特徴とする、請求項７に記載の外科用トロカール。
【請求項１０】
前記胴体ヘッド内部ハウジングが前記胴体ヘッド外部ハウジングの内側面に結合されるとき、前記胴体ヘッド内部ハウジングの下面が前記胴体ヘッド外部ハウジングと前記胴体ヘッド内部ハウジングとの間に配置される前記密閉部材の枠を加圧しながら前記密閉部材を固定させることを特徴とする、請求項９に記載の外科用トロカール。
【発明の詳細な説明】
【技術分野】
【０００１】
本発明は、外科用トロカールに関し、より詳細には、別途の機械的装備がなくても外科用トロカールの下部領域を人の体内で安定的に支持できると共に、構造が簡単で、且つ使用し易い外科用トロカールを提供するものである。
【背景技術】
【０００２】
一般に、患者を治療するための既存の開腹切開手術の場合、切開部位が大きく、手術時に発生する出血量が多いことから、手術後の患者の回復が遅く、手術後に大きな傷跡が残ることになり、患者の手術後の生活にも支障をきたすようになる。
【０００３】
近年、このような開腹切開手術の短所を克服するために最小侵襲手術（Ｍｉｎｉｍａｌ  Ｉｎｖａｓｉｖｅ  Ｓｕｒｇｅｒｙ；ＭＩＳ）などの新しい手術技法が開発されている。
【０００４】
最小侵襲手術は、手術のために必要な切開部位を最小化するために特別に考案された細長い手術道具を用いて患者の身体の最小限の部位のみを切開して施術する手術技法であり、最小侵襲手術を行うためには手術道具の自由な進退及び動きを確保するためのトロカール（ｔｒｏｃａｒ）が必要である。
【０００５】
従来のトロカールには、人の腹壁又は胸壁に固定させるために人の腹壁又は胸壁を貫通して設置されるトロカールの終端部に空気を注入して膨張させる風船形態の支持部が備えられる。しかし、このような風船形態の支持部は裂けやすく、空気を注入するための別途の機械的装備を備えなければならないという不便さがある。
【発明の概要】
【発明が解決しようとする課題】
【０００６】
本発明の解決しようとする課題は、別途の機械的装備がなくても外科用トロカールの下部領域を人の体内で安定的に支持できると共に、構造が簡単で、且つ使用し易い外科用トロカールを提供することにある。
【課題を解決するための手段】
【０００７】
上述した課題を解決するために、本発明は、人の皮膚組織を貫通して設置可能なトロカール胴体ユニット；及び前記トロカール胴体ユニットに挿入されてから引き出される套管針ユニット；を含み、前記トロカール胴体ユニットは；中空形態の第１トロカール胴体と、前記第１トロカール胴体の上部に配置されるトロカール胴体ヘッドと、前記第１トロカール胴体の下部方向に一定間隔だけ離隔した位置に配置される第２トロカール胴体と、前記套管針ユニットが前記トロカール胴体ユニットに挿入及び引き出される過程で前記第２トロカール胴体が前記第１トロカール胴体に対して上下方向に相対的に移動できるように前記第１トロカール胴体と第２トロカール胴体とを連結し、外力が作用しない場合は前記第１トロカール胴体の半径方向に広げられた状態を維持し、前記套管針ユニットが前記トロカール胴体ユニットに挿入され、前記第２トロカール胴体が前記第１トロカール胴体に対して相対的に移動する過程では前記第１トロカール胴体の長さ方向に伸びる拡張部材を有する連結ユニットとを含むことを特徴とする外科用トロカールを提供する。
【発明の効果】
【０００８】
本発明に係る外科用トロカールは、外力によって変形されてから外力が除去されれると元の形状に戻る拡張部材をトロカール胴体ユニットの下部領域に設置することによって、トロカール胴体ユニットの下部領域を人の体内に挿入させる過程で前記トロカール胴体ユニットの挿入半径を最大限減少させ、人の皮膚組織の切開を最小限に抑えることができるようになり、前記トロカール胴体ユニットの下部領域が人の体内に挿入された後、拡張部材が前記トロカール胴体ユニットの半径方向に広げられることによって、人の体内で前記トロカール胴体ユニットを安定的に固定できるという効果を有する。
【０００９】
また、ロッキングユニットが備えられることによって、ユーザーが套管針ユニットをトロカール胴体ユニットに挿入し、拡張部材がトロカール胴体ユニットの長さ方向に伸びた状態で固定できるようになり、前記拡張部材が前記トロカール胴体ユニットの長さ方向に伸びた状態を維持した状況でユーザーが外科用トロカールを人の体内に入れることができ、その結果、ユーザーが前記套管針ユニットと前記トロカール胴体ユニットを同時に持続的に掴む必要がないという効果を有する。
【００１０】
さらに、前記ロッキングユニットを用いて前記拡張部材が前記トロカール胴体ユニットの長さ方向に伸びた状態を維持することによって、前記拡張部材が前記トロカール胴体ユニットの半径方向に広げられることで発生する問題、すなわち、前記外科用トロカールをユーザーの体内に入れにくいという問題を解決できるという効果を有する。
【図面の簡単な説明】
【００１１】
【図１】本発明に係る外科用トロカールの一実施例の要部断面図である。
【図２】図１の外科用トロカールに備えられた套管針ユニットがトロカール胴体ユニットに挿入されながら前記トロカール胴体が伸びた状態を示した断面図である。
【図３】図２の状態で套管針ユニットを除去した後、トロカール胴体ユニットが人の皮膚組織に固定された状態を示した断面図である。
【図４】図１の外科用トロカールに備えられた套管針ユニットの上部領域と、トロカール胴体ヘッドの胴体ヘッド内部ハウジングとの結合を説明するための図である。
【図５】図４の套管針ユニットに備えられた結合突起と、胴体ヘッド内部ハウジングに備えられた突起結合部との結合を説明するための図である。
【発明を実施するための形態】
【００１２】
以下、上述した解決しようとする課題が具体的に実現され得る本発明の好適な実施例を、添付の図面を参照して説明する。本実施例を説明するにおいて、同一の構成に対しては同一の名称及び同一の符号が使用され、これによる付加的な説明は下記で省略される。
【００１３】
以下、図１〜図５を参照して、本発明に係る外科用トロカールの一実施例を説明する。
【００１４】
前記外科用トロカールは、人の皮膚組織を貫通して設置可能なトロカール胴体ユニット２００と、前記トロカール胴体ユニット２００に挿入されてから引き出される套管針ユニット１００とを含む。
【００１５】
前記套管針ユニット１００は、套管針胴体１１０と、前記套管針胴体１１０の上部方向に延長される套管針上部ヘッド１２０と、前記套管針胴体１１０の下部方向に延長される套管針下部ヘッド１３０とを含む。
【００１６】
前記トロカール胴体ユニット２００は、第１トロカール胴体２１０、トロカール胴体ヘッド、第２トロカール胴体２２０、連結ユニット、支持部材２５０、流体注入部２９０、密閉部材２８０及びロッキングユニットを含む。
【００１７】
前記套管針上部ヘッド１２０は前記トロカール胴体ヘッドに対応し、前記套管針下部ヘッド１３０は前記第２トロカール胴体２２０に対応する。
【００１８】
具体的に、前記套管針下部ヘッド１３０には、前記套管針胴体１１０に段差が付けられて形成されるヘッド段差部１３１が形成されており、前記套管針下部ヘッド１３０は、前記ヘッド段差部１３１を基準に下部に行くほど尖った形状に形成される。
【００１９】
前記ヘッド段差部１３１は、前記第２トロカール胴体２２０の下部領域に形成されるヘッド係止部２２１と係止・結合される。すなわち、前記套管針ユニット１００が前記トロカール胴体ユニット２００に挿入されるとき、前記ヘッド段差部１３１は、前記ヘッド係止部２２１に係止されながら前記第２トロカール胴体２２０を前記トロカール胴体ユニットの第１トロカール胴体２１０から相対的に移動させるようになる。
【００２０】
一方、前記第１トロカール胴体２１０は中空形態を有し、前記第１トロカール胴体２１０の外側面には前記支持部材２５０及び前記流体注入部２９０が配置される。
【００２１】
前記トロカール胴体ヘッドは、前記第１トロカール胴体２１０から延長形成される胴体ヘッド外部ハウジング２６０と、前記胴体ヘッド外部ハウジング２６０の内側面に結合される胴体ヘッド内部ハウジング２７０とを含む。勿論、本発明はこれに限定されるものではなく、前記胴体ヘッド外部ハウジングと前記胴体ヘッド内部ハウジングとは一体に形成されてもよい。
【００２２】
前記胴体ヘッド外部ハウジング２６０は、前記第１トロカール胴体２１０の上部に延長形成され、前記第１トロカール胴体２１０より拡張された断面積を有する。
【００２３】
前記胴体ヘッド内部ハウジング２７０は前記胴体ヘッド外部ハウジング２６０の内側面にねじ結合される。前記胴体ヘッド内部ハウジング２７０が前記胴体ヘッド外部ハウジング２６０の内側面に結合されるとき、前記胴体ヘッド内部ハウジング２７０の下面は、前記胴体ヘッド外部ハウジング２６０と前記胴体ヘッド内部ハウジング２７０との間に配置される前記密閉部材２８０の枠を加圧しながら前記密閉部材２８０を固定させるようになる。
【００２４】
前記第２トロカール胴体２２０は中空形態を有し、前記第１トロカール胴体２１０の下部方向に一定間隔だけ離隔した位置に配置される。前記第２トロカール胴体２２０の下端領域には、内側方向に折り曲げられたヘッド係止部２２１が形成されている。上述したように、前記ヘッド係止部２２１は前記ヘッド段差部１３１に対応する。
【００２５】
前記第２トロカール胴体２２０は、前記套管針ユニット１００が前記トロカール胴体ユニット２００に挿入及び引き出される過程で前記第１トロカール胴体２１０に対して上下方向に相対的に移動する。
【００２６】
前記トロカール胴体ユニット２００の下部領域が人の体内に挿入・設置されるとき、前記第２トロカール胴体２２０は人の体内に位置するようになる。
【００２７】
前記連結ユニットは、前記第１トロカール胴体２１０と第２トロカール胴体２２０とを連結する拡張部材２３０と、前記拡張部材２３０の内側に隣り合うように配置されながら前記第１トロカール胴体２１０と前記第２トロカール胴体２２０とを連結する内部連結部材２４０とを含む。
【００２８】
前記内部連結部材２４０は、前記第１トロカール胴体２１０と前記第２トロカール胴体２２０とを連結し、前記套管針ユニット１００が前記トロカール胴体ユニット２００に挿入及び引き出される過程で前記第２トロカール胴体２２０が前記第１トロカール胴体２１０に対して上下方向に相対的に移動できるようにフレキシブルな材質で製作される。
【００２９】
前記第１トロカール胴体２１０及び前記第２トロカール胴体２２０は、接着剤によって前記内部連結部材２４０と接着・結合され得る。勿論、本発明はこれに限定されるものではなく、前記第１トロカール胴体２１０及び前記第２トロカール胴体２２０は別途の締結部材によって前記内部連結部材２４０と結合されてもよい。
【００３０】
前記套管針ユニット１００が前記トロカール胴体ユニット２００に挿入され、前記第２トロカール胴体２２０が前記第１トロカール胴体２１０に対して相対的に移動するとき、前記内部連結部材２４０は前記第１トロカール胴体２１０の長さ方向に伸びるようになる。
【００３１】
また、前記内部連結部材２４０は、前記套管針ユニット１００が前記トロカール胴体ユニット２００から引き出されるとき、弾性復元力によって元の長さに戻るようになる。
【００３２】
前記内部連結部材２４０は、前記拡張部材２３０の内側に配置され、各手術器具が前記トロカール胴体ユニット２００を貫通しながら挿入及び引き出される過程で各手術器具との衝突によって前記拡張部材２３０が破れたり損傷することを防止するようになる。
【００３３】
本発明はこれに限定されるものではなく、前記内部連結部材２４０と前記拡張部材２３０とは一体に形成されてもよい。
【００３４】
前記拡張部材２３０は、前記套管針ユニット１００が前記トロカール胴体ユニット２００に挿入及び引き出される過程で前記第２トロカール胴体２２０が前記第１トロカール胴体２１０に対して上下方向に相対的に移動できるように前記第１トロカール胴体２１０と前記第２トロカール胴体２２０とを連結し、前記内部連結部材２４０の外側に配置される。
【００３５】
前記拡張部材２３０は、外力が除去されると元の形態に戻る形状記憶合成樹脂材質、例えば、シリコーンゴムなどで製作され得る。
【００３６】
前記拡張部材２３０は、外力が作用しない場合、前記第１トロカール胴体２１０の半径方向に広げられたドーナツ形態を維持するようになる。
【００３７】
前記拡張部材２３０は、全て一定の厚さで形成され、前記拡張部材２３０の半径方向位置とは関係なく、同一の強度に具現される場合もあるが、前記拡張部材２３０が半径方向に広げられた状態を維持するために、前記第１トロカール胴体２１０及び前記第２トロカール胴体２２０と結合される領域から第１半径領域までの厚さは前記第１半径領域から最外郭半径までの厚さより厚く形成され、前記第１半径領域までの強度がその後の最外郭半径方向までの強度より大きく具現される場合もある。
【００３８】
勿論、本発明はこれに限定されるものではなく、前記拡張部材２３０には、空気が出入り可能な通気孔が形成されてもよい。
【００３９】
一方、前記套管針ユニット１００が前記トロカール胴体ユニット２００に挿入され、前記第２トロカール胴体２２０が前記第１トロカール胴体２１０に対して相対的に移動する過程で、前記拡張部材２３０は前記第１トロカール胴体２１０の長さ方向に伸びるようになる。すなわち、前記第２トロカール胴体２２０が前記第１トロカール胴体２１０に対して相対的に移動する過程では、前記内部連結部材２４０と前記拡張部材２３０とが前記第１トロカール胴体２１０の長さ方向に沿って並んで配列されるようになる。
【００４０】
前記套管針ユニット１００が前記トロカール胴体ユニット２００に挿入され、前記拡張部材２３０が前記第１トロカール胴体２１０の長さ方向に伸びた状態で前記套管針ユニット１００と前記トロカール胴体ユニット２００の下部領域が人の皮膚組織１０の内部に挿入される。
【００４１】
そして、前記套管針ユニット１００と前記トロカール胴体ユニット２００の下部領域が人の体内に挿入された状態で前記套管針ユニット１００が除去されると、前記拡張部材２３０は、前記第１トロカール胴体２１０の半径方向に広げられながら外力が加えられる前の形状に戻るようになる。
【００４２】
結果的に、前記トロカール胴体ユニット２００の下部領域を人の体内に挿入させる過程で前記トロカール胴体ユニット２００の挿入半径を最大限減少させることによって、人の皮膚組織１０の切開を最小限に抑えることができるようになり、前記トロカール胴体ユニット２００の下部領域が人の体内に挿入された後、前記拡張部材２３０が前記トロカール胴体ユニット２００の半径方向に広げられることによって、人の体内で前記トロカール胴体ユニット２００を安定的に固定できるようになる。
【００４３】
さらに、前記拡張部材２３０は、皮膚組織１０から流れ落ちる血液や水分が手術用器具又は検査器具の表面に付くことを遮断するようになり、その結果、手術用器具又は検査器具の汚染を防止し、手術又は検査時間の遅延を防止できるようになる。
【００４４】
前記支持部材２５０は、前記第１トロカール胴体２１０の外周に突出配置され、前記第１トロカール胴体２１０の下部領域が人の体内に配置されたとき、人の皮膚の外側で前記第１トロカール胴体２１０を支持するようになる。
【００４５】
前記流体注入部２９０は、前記第１トロカール胴体２１０の内部空間と連通しながら前記第１トロカール胴体２１０の外側面から半径方向に延長形成され、外部から前記第１トロカール胴体２１０の内部空間に気体を注入するとき、前記気体が流れ込む流路としての役割をするようになる。勿論、本発明は上述した実施例に限定されるものではなく、前記流体注入部２９０がない状態で前記外科用トロカールが使用されてもよい。
【００４６】
また、本発明はこれに限定されるものではなく、前記第１トロカール胴体２１０の外側面には、ユーザーが前記第１トロカール胴体２１０を掴むための取っ手が備えられてもよい。
【００４７】
前記密閉部材２８０は前記トロカール胴体ヘッドの入口部に設置され、前記套管針ユニット１００が前記トロカール胴体ユニット２００に挿入されるときは前記套管針ユニット１００によって開放され、前記トロカール胴体ユニット２００から前記套管針ユニット１００が引き出されるときは前記胴体ヘッドの入口部を閉鎖させるようになる。
【００４８】
前記胴体ヘッド内部ハウジング２７０は、環形のリング状を有しており、前記密閉部材２８０を固定させるために前記胴体ヘッド外部ハウジング２６０の内側にねじ結合されながら前記密閉部材２８０の枠を加圧するようになる。すなわち、前記密閉部材２８０の枠は、前記胴体ヘッド内部ハウジング２７０と前記胴体ヘッド外部ハウジング２６０との間に配置され、前記胴体ヘッド内部ハウジング２７０が前記胴体ヘッド外部ハウジング２６０に結合されることによって固定されるようになる。
【００４９】
本発明はこれに限定されるものではなく、前記密閉部材２８０は、ワンウェイ（Ｏｎｅ−ｗａｙ）チェックバルブ形態に前記トロカール胴体ヘッドの内部に備えられてもよい。
【００５０】
結果的に、前記トロカール胴体ユニット２００から前記套管針ユニット１００が引き出され、前記密閉部材２８０が前記トロカール胴体ヘッドの入口部を閉鎖させると、ユーザーは、外部の気体供給器を作動させ、前記流体注入部２９０を介して前記第１トロカール胴体２１０の内部空間に気体を注入することによって人の体内に気体を注入するようになる。
【００５１】
一方、前記ロッキングユニットは、前記套管針ユニット１００が前記トロカール胴体ユニット２００に挿入されたときは、前記套管針ユニット１００を前記トロカール胴体ユニット２００に結合させ、前記套管針ユニット１００が前記トロカール胴体ユニット２００から引き出されるときは、前記套管針ユニット１００を前記トロカール胴体ユニット２００から解除させるようになる。
【００５２】
前記ロッキングユニットは、前記套管針ユニット１００に備えられた套管針上部ヘッド１２０の外側面に突出した結合突起１２３と、前記トロカール胴体ユニット２００に備えられたトロカール胴体ヘッドに形成された突起結合部とを含む。
【００５３】
具体的に、前記結合突起１２３は、前記套管針上部ヘッド１２０の下部領域の外側面に二つが対称的に突出形成される。勿論、前記結合突起１２３は一つ以上備えられ、前記突起結合部は前記結合突起に対応する個数で備えられる。
【００５４】
前記突起結合部は、前記結合突起１２３の上下方向移動を案内するための案内溝２７１と、前記套管針ユニット１００の回転時に前記結合突起１２３の円周方向移動を案内する係止溝２７３とを含む。
【００５５】
前記突起結合部は、前記胴体ヘッド内部ハウジング２７０の内側面にＬ字状の溝に形成される。すなわち、前記案内溝２７１は、前記胴体ヘッド内部ハウジング２７０の内側面に上下方向に陥没して形成されており、前記係止溝２７３は前記案内溝２７１から延長形成され、前記胴体ヘッド内部ハウジング２７０の円周方向に折り曲げられながら前記胴体ヘッド内部ハウジング２７０の内側面に水平方向に陥没して形成されている。
【００５６】
したがって、前記套管針ユニット１００を前記トロカール胴体ユニット２００に挿入する過程では、前記結合突起１２３は前記案内溝２７１に沿って移動するようになり、前記套管針ユニット１００と前記トロカール胴体ユニット２００とを結合させるために前記套管針ユニット１００を回転させると、前記結合突起１２３は前記係止溝２７３に沿って移動するようになる。最終的に、前記結合突起１２３が前記係止溝２７３に載置されることによって、前記套管針ユニット１００と前記トロカール胴体ユニット２００は上下方向に移動しなくなる。
【００５７】
結果的に、前記ロッキングユニットが備えられることによって、ユーザーが前記套管針ユニット１００を前記トロカール胴体ユニット２００に挿入し、前記拡張部材２３０が前記トロカール胴体ユニット２００の長さ方向に伸びた状態で固定できるようになり、前記拡張部材２３０が前記トロカール胴体ユニット２００の長さ方向に伸びた状態を維持した状況でユーザーが外科用トロカールを人の体内に入れることができ、その結果、ユーザーが前記套管針ユニット１００と前記トロカール胴体ユニット２００を同時に持続的に掴む必要がなくなる。
【００５８】
さらに、前記ロッキングユニットを用いて前記拡張部材２３０が前記トロカール胴体ユニット２００の長さ方向に伸びた状態を固定することによって、前記拡張部材２３０が前記トロカール胴体ユニットの半径方向に広げられることで発生する問題、すなわち、前記外科用トロカールをユーザーの体内に入れにくいという問題が解決される。
【００５９】
以下、図１〜図５を参照して、本発明に係る外科用トロカールの設置過程を説明する。
【００６０】
まず、ユーザーは、図１に示したように、前記套管針ユニット１００の下部領域を前記トロカール胴体ユニット２００に挿入させる。
【００６１】
次に、ユーザーは、図２に示したように、前記トロカール胴体ユニット２００を上部方向に引っ張りながら前記套管針下部ヘッド１３０の終端部を前記第２トロカール胴体２２０の外部に露出させる。
【００６２】
このとき、前記内部連結部材２４０と前記拡張部材２３０は前記トロカール胴体ユニット２００の長さ方向に伸びながら、前記拡張部材２３０の半径が最小化される。
【００６３】
次に、ユーザーは、前記套管針ユニット１００を第１方向に回転させ、前記套管針ユニットの結合突起１２３を前記トロカール胴体ユニットの係止溝２７３に載置させることによって、前記拡張部材２３０が前記トロカール胴体ユニットの長さ方向に伸びた状態で前記套管針ユニット１００と前記トロカール胴体ユニット２００が上下方向に相対的に移動しないように固定させる。
【００６４】
次に、ユーザーは、前記トロカール胴体ユニット２００及び前記套管針ユニット１００の下部領域を人の皮膚組織１０を貫通して人の体内に挿入させる。
【００６５】
次に、ユーザーは、前記套管針ユニット１００を前記第１方向の反対方向に回転させ、前記套管針ユニットの結合突起１２３を前記トロカール胴体ユニットの係止溝２７３から分離させた後、前記套管針ユニット１００を前記トロカール胴体ユニット２００から引き出すようになる。
【００６６】
その結果、図３に示したように、前記拡張部材２３０は、元の形状、すなわち、前記トロカール胴体ユニット２００の半径方向に広げられながら外力が加えられる前の形状に戻るようになる。
【００６７】
次に、ユーザーは、前記支持部材２５０を前記皮膚組織１０の外側面に密着するように移動させる。
【００６８】
結果的に、人の皮膚組織１０の外側面では前記支持部材２５０が前記トロカール胴体ユニット２００を支持するようになり、人の皮膚組織１０の内側面では前記拡張部材２３０が前記トロカール胴体ユニット２００を支持するようになる。その結果、前記トロカール胴体ユニット２００が人の体内に安定的に固定されるようになる。
【００６９】
以上説明したように、本発明は、上述した特定の好適な実施例に限定されるものではなく、特許請求の範囲で請求する本発明の要旨を逸脱することなく、当該発明の属する技術分野で通常の知識を有する者によって多様な変形の実施が可能であり、このような変形は本発明の範囲に属する。
【産業上の利用可能性】
【００７０】
本発明は、別途の機械的装備がなくても外科用トロカールの下部領域を人の体内で安定的に支持できると共に、構造が簡単で、且つ使用し易いので、最小侵襲手術で手術道具の自由な進退及び動きを確保するための外科用トロカールに広く使用可能である。
【図１】
2018537181.tif 000003
【図２】
2018537181.tif 000004
【図３】
2018537181.tif 000005
【図４】
2018537181.tif 000006
【図５】
2018537181.tif 000007
【国際調査報告】
2018537181.tif 000008
2018537181.tif 000009
2018537181.tif 000010
2018537181.tif 000011